(57)【要約】【課題】ローラーの摩耗をローラーを特定しつつ検出することができるスキャナーを提供する。【解決手段】スキャンの対象となる紙の搬送路に設けられた第１ローラーと、前記第１ローラーより前記搬送路の下流側に設けられた第２ローラーと、前記第１ローラーと前記第２ローラーとの間の前記搬送路に設けられ、前記紙の端を検知する紙端検知センサーと、前記第１ローラーと前記第２ローラーとの間の前記搬送路に設けられ、前記紙の画像を読み取る画像読取センサーと、前記紙端検知センサーの検知結果と、前記画像読取センサーの画像読取結果と、に基づいて、前記第１ローラーおよび前記第２ローラーを含む複数のローラーの動作状態を判定する制御部と、を備える、スキャナー。【選択図】図１
2020132371.tif 000002
【特許請求の範囲】
【請求項１】
スキャンの対象となる紙の搬送路に設けられた第１ローラーと、
前記第１ローラーより前記搬送路の下流側に設けられた第２ローラーと、
前記第１ローラーと前記第２ローラーとの間の前記搬送路に設けられ、前記紙の端を検知する紙端検知センサーと、
前記第１ローラーと前記第２ローラーとの間の前記搬送路に設けられ、前記紙の画像を読み取る画像読取センサーと、
前記紙端検知センサーの検知結果と、前記画像読取センサーの画像読取結果と、に基づいて、前記第１ローラーおよび前記第２ローラーを含む複数のローラーの動作状態を判定する制御部と、
を備える、スキャナー。
【請求項２】
前記画像読取センサーは、前記紙端検知センサーより前記搬送路の下流側に設けられており、
複数の前記ローラーに含まれ、前記第１ローラーと前記画像読取センサーとの間の前記搬送路に設けられた第３ローラーを備え、
前記制御部は、前記紙の給紙開始時間ｔ０と前記紙端検知センサーによって前記紙の前端が検知された時間ｔ１に基づいて、前記第１ローラーの動作状態を判定し、
前記制御部は、前記画像読取センサーによって読み取られた画像に画像処理が行われることで検出された前記紙の前端に対応する時間ｔ２と前記時間ｔ１に基づいて、前記第３ローラーの動作状態を判定する、
請求項１に記載のスキャナー。
【請求項３】
前記紙端検知センサーは、前記第３ローラーと前記画像読取センサーとの間の前記搬送路に設けられており
前記制御部は、前記紙端検知センサーによって前記紙の後端が検知された時間ｔ３と、前記画像読取センサーによって読み取られた画像に画像処理が行われることで検出された前記紙の後端に対応する時間ｔ４に基づいて、前記第２ローラーの動作状態を判定する、
請求項２に記載のスキャナー。
【請求項４】
前記制御部は、前記画像読取センサーによって読み取られた画像に画像処理が行われることで検出された前記紙の後端に対応する時間ｔ４と前記時間ｔ２に基づいて、前記第２ローラーの動作状態を判定する、
請求項２に記載のスキャナー。
【請求項５】
前記制御部は、前記動作状態を示す値として２つの時間の差を用いて、前記差が第１閾値以上であって前記第１閾値より大きい第２閾値未満である場合に第１出力を行い、前記差が前記第２閾値以上である場合に前記第１出力と異なる第２出力を行う、
請求項２から請求項４のいずれか１項に記載のスキャナー。
【請求項６】
前記制御部は、前記第１ローラーの前記動作状態を示す値として用いられる前記差が前記第２閾値以上であって前記第２閾値より大きい第３閾値未満である場合に前記第２出力を行い、前記差が前記第３閾値以上である場合に前記第１出力および前記第２出力とは異なる第３出力を行い、
前記制御部は、前記第２ローラーの前記動作状態を示す値として用いられる前記差が第４閾値以上であって前記第４閾値より大きい第５閾値未満である場合に第４出力を行い、前記差が前記第５閾値以上である場合に前記第４出力とは異なる第５出力を行う、
請求項５に記載のスキャナー。
【請求項７】
前記制御部は、前記紙端検知センサーが使用不能である場合、前記画像読取センサーによって読み取られた画像に画像処理が行われることで検出された前記紙の前端に対応する前記時間ｔ２と、前記紙の前記給紙開始時間ｔ０に基づいて、前記第１ローラーの前記動作状態および前記第３ローラーの前記動作状態を判定する、
請求項２に記載のスキャナー。
【請求項８】
スキャナーのローラーを監視するスキャナーのローラー監視方法であって、
スキャンの対象となる紙の搬送路に設けられた第１ローラーと、前記第１ローラーより前記搬送路の下流側に設けられた第２ローラーと、を用いて前記紙が搬送されるときに、
前記第１ローラーと前記第２ローラーとの間の前記搬送路に設けられた紙端検知センサーが、前記紙の端を検知し、
前記第１ローラーと前記第２ローラーとの間の前記搬送路に設けられた画像読取センサーが、前記紙の画像を読み取り、
制御部が、前記紙端検知センサーの検知結果と、前記画像読取センサーの画像読取結果と、に基づいて、前記第１ローラーおよび前記第２ローラーを含む複数のローラーの動作状態を判定する、
スキャナーのローラー監視方法。
【発明の詳細な説明】
【技術分野】
【０００１】
本発明は、スキャナーおよびスキャナーのローラー監視方法に関する。
【背景技術】
【０００２】
複数のローラーを用いて給紙を自動的に行う自動給紙装置を備えるスキャナーが知られている。自動給紙装置は、ＡＤＦ（Ａｕｔｏ  Ｄｏｃｕｍｅｎｔ  Ｆｅｅｄｅｒ）とも呼ばれる。
従来では、スキャナーにおいて、ＡＤＦに通された紙の枚数をカウントし、カウントされた枚数が一定枚数に達したときに、複数のローラーのうちで給紙に関するローラーについて交換が必要であると判断することが行われていた。
【０００３】
しかしながら、このような判断手法では、紙の材質または長さ、あるいはローラーの回転速度の違いに依らず、一定枚数に達したときに一律に交換が必要であると判断されるため、実際はまだ交換が不要であっても、交換が必要であると判断される場合があった。逆に、カウントされた枚数が一定枚数未満であっても、紙の材質または長さ、あるいはローラーの回転速度によっては摩耗が発生してしまい、ＡＤＦによる給紙が不安定になる場合もあった。さらに、給紙に関するローラー以外のローラーについては交換対象とならなかった。
【０００４】
特許文献１に記載された給紙装置では、給紙ローラーが摩耗していない状態における給紙ローラーの駆動開始信号と紙の始端を検知するセンサーの検知信号との時間差Δｔ１と、給紙ローラーが摩耗している状態における給紙ローラーの駆動開始信号と紙の始端を検知する検知信号との時間差Δｔ２と、の差Δｔ＝Δｔ２−Δｔ１が、許容差分時間ｔｉを超えた場合に、給紙ローラーの寿命をオペレーターに通知する。当該センサーは、給紙ルートに備えられる（特許文献１の要約書、図４、段落００１０〜００１２参照。）。
【先行技術文献】
【特許文献】
【０００５】
【特許文献１】特開２００２−１５４６８１号公報
【発明の概要】
【発明が解決しようとする課題】
【０００６】
しかしながら、特許文献１に記載された技術では、給紙ローラーあるいは搬送ローラーなどの複数のローラーがあるにもかかわらず、給紙ローラーの寿命しか検出することができなかった。
つまり、特許文献１に記載された技術では、一つのローラーの寿命を検出するが、ＡＤＦでは複数のローラーを用いて紙が搬送されるため、紙の搬送がし難くなってきたときに、いずれのローラーが原因であるかが特定されなければ、修理することが困難であった。仮に、特許文献１に記載された技術を複数のローラーに適用する場合には、複数のローラーの数と同じ数だけセンサーが必要になり、コストが大きくなる。
【課題を解決するための手段】
【０００７】
上記課題を解決するために一態様は、スキャンの対象となる紙の搬送路に設けられた第１ローラーと、前記第１ローラーより前記搬送路の下流側に設けられた第２ローラーと、前記第１ローラーと前記第２ローラーとの間の前記搬送路に設けられ、前記紙の端を検知する紙端検知センサーと、前記第１ローラーと前記第２ローラーとの間の前記搬送路に設けられ、前記紙の画像を読み取る画像読取センサーと、前記紙端検知センサーの検知結果と、前記画像読取センサーの画像読取結果と、に基づいて、前記第１ローラーおよび前記第２ローラーを含む複数のローラーの動作状態を判定する制御部と、を備える、スキャナーである。
【０００８】
上記課題を解決するために一態様は、スキャナーのローラーを監視するスキャナーのローラー監視方法であって、スキャンの対象となる紙の搬送路に設けられた第１ローラーと、前記第１ローラーより前記搬送路の下流側に設けられた第２ローラーと、を用いて前記紙が搬送されるときに、前記第１ローラーと前記第２ローラーとの間の前記搬送路に設けられた紙端検知センサーが、前記紙の端を検知し、前記第１ローラーと前記第２ローラーとの間の前記搬送路に設けられた画像読取センサーが、前記紙の画像を読み取り、制御部が、前記紙端検知センサーの検知結果と、前記画像読取センサーの画像読取結果と、に基づいて、前記第１ローラーおよび前記第２ローラーを含む複数のローラーの動作状態を判定する、スキャナーのローラー監視方法である。
【図面の簡単な説明】
【０００９】
【図１】実施形態に係るスキャナーの概略的な構成を示す図である。
【図２】実施形態に係る紙搬送部の概略的な構成を示す図である。
【図３】実施形態に係るスキャナーにおいて行われる処理の手順の一例を示す図である。
【図４】実施形態に係るスキャナーにおいて行われる処理の手順の一例を示す図である。
【図５】実施形態に係るスキャナーにおいて行われる処理の手順の一例を示す図である。
【発明を実施するための形態】
【００１０】
以下、本発明の実施形態について、図面を参照して説明する。
【００１１】
＜スキャナー＞
図１は、実施形態に係るスキャナー１の概略的な構成を示す図である。
スキャナー１は、制御部１１と、操作パネル１２と、入力画像処理部１３と、紙搬送部１４を備える。
制御部１１は、ＣＰＵ（Ｃｅｎｔｒａｌ  Ｐｒｏｃｅｓｓｉｎｇ  Ｕｎｉｔ）３１と、ＲＯＭ（Ｒｅａｄ  Ｏｎｌｙ  Ｍｅｍｏｒｙ）３２と、ＲＡＭ（Ｒａｎｄｏｍ  Ａｃｃｅｓｓ  Ｍｅｍｏｒｙ）３３を備える。
【００１２】
制御部１１は、各種の処理および制御を行う。本実施形態では、制御部１１は、操作パネル１２、入力画像処理部１３、紙搬送部１４を制御する。
本実施形態では、ＲＯＭ３２およびＲＡＭ３３を含むメモリーに、所定のプログラムおよび当該プログラムで使用される所定のデータが記憶されている。そして、ＣＰＵ３１は、当該メモリーに記憶された当該プログラムを読み出して実行することによって、各種の処理および制御を行う。この際、ＣＰＵ３１は、必要に応じて、当該メモリーに記憶された当該データをパラメーター等として使用する。
【００１３】
操作パネル１２は、ユーザーによって操作することが可能な操作部を有しており、当該操作部に対して行われた操作の内容を受け付ける。
また、操作パネル１２は、画面を有しており、当該画面に情報を表示する。
ここで、操作部は、例えば、タッチパネルのように、操作の内容を受け付けるボタン等が画面に表示されて設けられてもよく、あるいは、このような画面とは別にキーあるいはボタン等として設けられてもよい。
【００１４】
入力画像処理部１３は、画像読取の機能を有しており、所定の位置にセットされた紙に印刷等された画像の情報を読み取り、読み取られた画像の情報を処理する。当該画像は、文字等であってもよい。
なお、紙は、例えば、用紙、あるいは、原稿などと呼ばれてもよい。
【００１５】
紙搬送部１４は、ＡＤＦの機能を有しており、給紙対象となる紙を自動的に搬送して出力する。この際に、当該紙に印刷等されている画像は、画像読取の機能によって読み取られる。
制御部１１は、入力画像処理部１３によって読み取られた画像のデータであるスキャンデータをメモリーに記憶して保存する。
【００１６】
＜紙搬送部＞
図２は、実施形態に係る紙搬送部１４の概略的な構成を示す図である。
図２には、スキャンの対象となる紙の搬送路２１１を示してある。
紙搬送部１４は、搬送路２１１の上流から下流に向かう方向において、給紙ローラー１１１と、分離ローラー１１２と、搬送ローラー１１３ａ、１１３ｂと、排紙ローラー１１４ａ、１１４ｂを順に備える。給紙ローラー１１１と、分離ローラー１１２と、搬送ローラー１１３ａ、１１３ｂと、排紙ローラー１１４ａ、１１４ｂは、搬送路２１１に対して設置されている。なお、給紙ローラー１１１は、ピックアップローラーと呼ばれることもある。また、搬送ローラー１１３ａ、１１３ｂは、ＰＦローラーと呼ばれることもある。また、排紙ローラー１１４ａ、１１４ｂは、ＥＪローラーと呼ばれることもある。
【００１７】
ここで、搬送路２１１の上流は、紙の入力側を表す。また、搬送路２１１の下流は、紙の出力側を表す。
本実施形態では、搬送路２１１を流れる紙は、給紙ローラー１１１と、分離ローラー１１２と、搬送ローラー１１３ａ、１１３ｂと、排紙ローラー１１４ａ、１１４ｂのうちの少なくとも１つに接する構造となっている。
【００１８】
紙搬送部１４では、搬送ローラー１１３ａ、１１３ｂと比べて下流の側であって、排紙ローラー１１４ａ、１１４ｂと比べて上流の側に、紙の端を検知する紙端検知センサー１３１が設けられている。
また、紙搬送部１４では、紙端検知センサー１３１と比べて下流の側であって、排紙ローラー１１４ａ、１１４ｂと比べて上流の側に、紙に描かれた画像を読み取る画像読取センサー１４１が設けられている。
【００１９】
本実施形態では、説明の便宜上、搬送路２１１の区間として、給紙ローラー１１１から分離ローラー１１２を経由して搬送ローラー１１３ａ、１１３ｂまでの区間１０１１と、搬送ローラー１１３ａ、１１３ｂから紙端検知センサー１３１の位置を経由して画像読取センサー１４１の位置までの区間１０１２と、画像読取センサー１４１の位置から排紙ローラー１１４ａ、１１４ｂまでの区間１０１３を示してある。
本実施形態では、説明の便宜上、このように３つの区間１０１１〜１０１３に分けて説明するが、これらの区間１０１１〜１０１３は、搬送路２１１において、区間１０１１、区間１０１２、区間１０１３の順に連続的につながっている。
【００２０】
紙搬送部１４では、搬送路２１１の上流に入力された紙が、まず、給紙ローラー１１１によって下流に流され、次に、分離ローラー１１２によって下流に流され、次に、搬送ローラー１１３ａ、１１３ｂによって下流に流され、そして、排紙ローラー１１４ａによって搬送路２１１の下流の外へ出力される。
【００２１】
この際、紙端検知センサー１３１は、当該紙端検知センサー１３１が設けられた位置において、搬送路２１１を流れる紙の前端と後端のそれぞれを検知する。紙端検知センサー１３１は、検知結果の情報を制御部１１に送信する。なお、前端は前の端を表しており、後端は後ろの端を表している。前端は、例えば、先端と呼ばれてもよい。
また、画像読取センサー１４１は、当該画像読取センサー１４１が設けられた位置において、搬送路２１１を流れる紙に印刷等されている画像を読み取る。画像読取センサー１４１は、読み取られた画像の情報を制御部１１に出力する。制御部１１は、画像読取センサー１４１から入力された画像の情報について、所定の画像処理を行うことで、当該紙の前端と後端のそれぞれを検出する。
【００２２】
＜紙端検知センサーと画像読取センサー＞
ここで、紙端検知センサー１３１と画像読取センサー１４１との違いについて説明する。
紙端検知センサー１３１は、例えば、レバー、光、超音波などを用いて、紙の端を検知するセンサーであって、読み取られた画像について画像処理を行うことによってエッジ検出を行って紙の端を検出することを行わない。一方、画像読取センサー１４１によって読み取られる画像には、当該画像について画像処理を行うことによってエッジ検出を行って紙の端を検出することが行われる。
具体例として、レバーを用いる紙端検知センサー１３１では、当該レバーの上に紙が存在するときには当該レバーが倒されて所定の電気信号がオンとなり、逆に、当該レバーの上に紙が存在しないときには当該レバーが倒されずに当該電気信号がオフとなる構成を有する。当該紙端検知センサー１３１では、このような電気信号のオンとオフにより、紙の端が検知される。
また、具体例として、光を用いる紙端検知センサー１３１では、紙が載せられる部分に光を照射しておき、紙が存在して当該光が当該紙によって遮られて反射するときには所定の電気信号がオンとなり、逆に、紙が存在せずに当該光が透過するときには当該電気信号がオフとなる構成を有する。当該紙端検知センサー１３１では、このような電気信号のオンとオフにより、紙の端が検知される。
また、具体例として、超音波を用いる紙端検知センサー１３１では、光の透過および反射を用いる場合と同様な構成とすることが可能である。
【００２３】
＜スキャナーにおいて行われる処理＞
図３、図４、図５は、実施形態に係るスキャナー１において行われる処理の手順の一例を示す図である。
ここで、図３に示される処理フローと、図４に示される処理フローと、図５に示される処理フローは、一連の処理フローであるが、図を見易くするために、３つに分けて示してある。
【００２４】
図３に示される処理フローについて説明する。
当該処理フローは、給紙ローラー１１１から分離ローラー１１２を経由して搬送ローラー１１３ａ、１１３ｂまでの区間１０１１についての処理のフローである。
当該処理フローでは、制御部１１は、給紙ローラー１１１が摩耗しているか否かを判定する。
【００２５】
（ステップＳ１）
制御部１１は、給紙が開始された時間ｔ０を検出する。そして、ステップＳ２の処理へ移行する。
本実施形態では、制御部１１は、システムが持つ時間を用いて、当該時間ｔ０を特定してメモリーに記憶する。
【００２６】
（ステップＳ２）
制御部１１は、紙端検知センサー１３１によって紙の前端が検知された時間ｔ１を検出する。そして、ステップＳ３の処理へ移行する。
当該時間ｔ１は、給紙ローラー１１１が紙をＡＤＦの内部へ引き込んでいき、紙端検知センサー１３１が当該紙の前端を検知した時間である。
【００２７】
（ステップＳ３）
制御部１１は、時間ｔ１から時間ｔ０を減算し、この減算の結果（時間ｔ１−時間ｔ０）を取得する。そして、制御部１１は、この減算の結果（時間ｔ１−時間ｔ０）が所定の第１規定時間以下であるか否かを判定する。
この判定の結果、制御部１１は、この減算の結果（時間ｔ１−時間ｔ０）が所定の第１規定時間以下であると判定した場合には、ステップＳ４の処理へ移行する。
一方、この判定の結果、制御部１１は、この減算の結果（時間ｔ１−時間ｔ０）が所定の第１規定時間以下ではないと判定した場合には、ステップＳ５の処理へ移行する。
ここで、第１規定時間は、任意に設定されてもよく、例えば、あらかじめ行われる計測の結果に基づいて設定されてもよい。
【００２８】
（ステップＳ４）
制御部１１は、給紙ローラー１１１の状態が正常状態であると判定する。そして、ステップＳ１１の処理へ移行する。
【００２９】
（ステップＳ５）
制御部１１は、給紙ローラー１１１の状態が摩耗状態であると判定する。そして、ステップＳ１１の処理へ移行する。
【００３０】
なお、本実施形態では、分離ローラー１１２については、摩耗した場合は複数枚の紙を分離することができずに何枚かの紙を一度に引き込んでしまうことになり、（時間ｔ１−時間ｔ０）が大きくなって遅くなるわけではないため、正常状態であるか摩耗状態であるかを判定する対象としない。
【００３１】
図４に示される処理フローについて説明する。
当該処理フローは、搬送ローラー１１３ａ、１１３ｂから紙端検知センサー１３１の位置を経由して画像読取センサー１４１の位置までの区間１０１２についての処理のフローである。
当該処理フローでは、制御部１１は、搬送ローラー１１３ａ、１１３ｂが摩耗しているか否かを判定する。
なお、画像読取センサー１４１の位置は、画像の読み取りの開始位置となる。
【００３２】
（ステップＳ１１）
制御部１１は、画像読取センサー１４１によって読み取られた画像に基づいて、所定の画像処理を行い、当該画像において紙の前端を検出する。そして、ステップＳ１２の処理へ移行する。
制御部１１は、当該画像処理において、紙の端をエッジ検出により抽出する。これにより、制御部１１は、エッジが見つかった場合には、紙の前端を検出したと判定する。
ここで、エッジ検出では、例えば、ＳｏｂｅｌフィルターあるいはＰｒｅｗｉｔｔフィルターを用いる手法、ラプラシアンフィルターを用いる手法など、様々な手法が使用可能であり、本実施形態では、任意の手法が用いられてもよい。
【００３３】
（ステップＳ１２）
制御部１１は、検出された紙の前端が、画像読取センサー１４１の位置を通過したときの時間ｔ２を検出する。そして、ステップＳ１３の処理へ移行する。
【００３４】
（ステップＳ１３）
制御部１１は、時間ｔ２から時間ｔ１を減算し、この減算の結果（時間ｔ２−時間ｔ１）を取得する。そして、制御部１１は、この減算の結果（時間ｔ２−時間ｔ１）が所定の第２規定時間以下であるか否かを判定する。
この判定の結果、制御部１１は、この減算の結果（時間ｔ２−時間ｔ１）が所定の第２規定時間以下であると判定した場合には、ステップＳ１４の処理へ移行する。
一方、この判定の結果、制御部１１は、この減算の結果（時間ｔ２−時間ｔ１）が所定の第２規定時間以下ではないと判定した場合には、ステップＳ１５の処理へ移行する。
ここで、第２規定時間は、任意に設定されてもよく、例えば、あらかじめ行われる計測の結果に基づいて設定されてもよい。
【００３５】
（ステップＳ１４）
制御部１１は、搬送ローラー１１３ａ、１１３ｂの状態が正常状態であると判定する。そして、ステップＳ２１の処理へ移行する。
【００３６】
（ステップＳ１５）
制御部１１は、搬送ローラー１１３ａ、１１３ｂの状態が摩耗状態であると判定する。そして、ステップＳ２１の処理へ移行する。
【００３７】
図５に示される処理フローについて説明する。
当該処理フローは、画像読取センサー１４１の位置から排紙ローラー１１４ａ、１１４ｂまでの区間１０１３についての処理のフローと、摩耗したローラーの交換を促す処理のフローである。
当該処理フローでは、制御部１１は、排紙ローラー１１４ａ、１１４ｂが摩耗しているか否かを判定する。
【００３８】
（ステップＳ２１）
制御部１１は、紙端検知センサー１３１によって紙の後端が検知された時間ｔ３を検出する。そして、ステップＳ２２の処理へ移行する。
【００３９】
（ステップＳ２２）
制御部１１は、画像読取センサー１４１によって読み取られた画像に基づいて、所定の画像処理を行い、当該画像において紙の後端を検出する。そして、ステップＳ２３の処理へ移行する。
制御部１１は、当該画像処理において、紙の端をエッジ検出により抽出する。これにより、制御部１１は、紙の前端の後に、エッジが見つかった場合には、紙の後端を検出したと判定する。
【００４０】
（ステップＳ２３）
制御部１１は、検出された紙の後端が、画像読取センサー１４１の位置を通過したときの時間ｔ４を検出する。そして、ステップＳ２４の処理へ移行する。
【００４１】
（ステップＳ２４）
制御部１１は、時間ｔ４から時間ｔ３を減算し、この減算の結果（時間ｔ４−時間ｔ３）を取得する。そして、制御部１１は、この減算の結果（時間ｔ４−時間ｔ３）が所定の第３規定時間以下であるか否かを判定する。
この判定の結果、制御部１１は、この減算の結果（時間ｔ４−時間ｔ３）が所定の第３規定時間以下であると判定した場合には、ステップＳ２５の処理へ移行する。
一方、この判定の結果、制御部１１は、この減算の結果（時間ｔ４−時間ｔ３）が所定の第３規定時間以下ではないと判定した場合には、ステップＳ２６の処理へ移行する。
ここで、第３規定時間は、任意に設定されてもよく、例えば、あらかじめ行われる計測の結果に基づいて設定されてもよい。
【００４２】
（ステップＳ２５）
制御部１１は、排紙ローラー１１４ａ、１１４ｂの状態が正常状態であると判定する。そして、ステップＳ２７の処理へ移行する。
【００４３】
（ステップＳ２６）
制御部１１は、排紙ローラー１１４ａ、１１４ｂの状態が摩耗状態であると判定する。そして、ステップＳ２７の処理へ移行する。
【００４４】
（ステップＳ２７）
制御部１１は、摩耗したと判定されたローラーの数が０であるか否かを判定する。本実施形態では、当該ローラーは、給紙ローラー１１１と搬送ローラー１１３ａ、１１３ｂと排紙ローラー１１４ａ、１１４ｂのうちで摩耗したと判定されたローラーである。
この結果、制御部１１は、摩耗したと判定されたローラーの数が０であると判定した場合には、判定対象のすべてのローラーが正常状態であるため、本処理フローの処理を終了する。
一方、制御部１１は、摩耗したと判定されたローラーの数が１以上であると判定した場合には、ステップＳ２８の処理へ移行する。
【００４５】
（ステップＳ２８）
制御部１１は、摩耗したと判定されたローラーの交換を促す処理を行う。そして、本処理フローの処理を終了する。
ここで、ローラーの交換を促す処理としては、例えば、摩耗したと判定されたローラーの交換を促す情報を操作パネル１２の画面に表示する処理、あるいは、摩耗したと判定されたローラーの交換を促す情報を音声出力する処理などであってもよい。
【００４６】
ここで、図５の例では、制御部１１は、紙端検知センサー１３１によって紙の後端が検知された時間ｔ３と、画像読取センサー１４１によって読み取られた画像に画像処理が行われることで検出された紙の後端に対応する時間ｔ４に基づいて、排紙ローラー１１４ａ、１１４ｂの動作状態を判定する場合を示した。
他の例として、制御部１１は、画像読取センサー１４１によって読み取られた画像に画像処理が行われることで検出された紙の後端に対応する時間ｔ４と、画像読取センサー１４１によって読み取られた画像に画像処理が行われることで検出された紙の前端に対応する時間ｔ２に基づいて、排紙ローラー１１４ａ、１１４ｂの動作状態を判定する構成が用いられてもよい。具体的には、制御部１１は、（時間ｔ４−時間ｔ２）が所定の第４規定時間以下であるか否かを判定し、そうであると判定した場合には排紙ローラー１１４ａ、１１４ｂが正常状態にあると判定し、そうでないと判定した場合には排紙ローラー１１４ａ、１１４ｂが摩耗していると判定する。
ここで、第４規定時間は、任意に設定されてもよく、例えば、あらかじめ行われる計測の結果に基づいて設定されてもよい。
【００４７】
＜２段階以上の出力＞
ここで、本実施形態では、制御部１１は、判定対象となる各々のローラーについて、検出された２つの時間の差が所定の規定時間以上である場合に当該ローラーの交換を促す場合を示した。
他の構成例として、制御部１１は、２段階の出力を行ってもよい。つまり、制御部１１は、判定対象となる各々のローラーについて、検出された２つの時間の差が所定の第１閾値以上である場合に第１出力を行い、当該差が第１閾値よりも大きい第２閾値以上である場合に第１出力と異なる第２出力を行ってもよい。
ここで、第１閾値および第２閾値は、任意に設定されてもよい。
また、第１出力および第２出力は、それぞれ任意の出力であってもよい。一例として、第１出力は交換の時期が近付いているという注意を喚起する出力であってもよく、また、第２出力は交換の時期になったという交換を要求する出力であってもよい。
また、本実施形態では、各々のローラーは、給紙ローラー１１１、搬送ローラー１１３ａ、１１３ｂ、あるいは、排紙ローラー１１４ａ、１１４ｂである。
【００４８】
他の構成例として、制御部１１は、３段階以上の出力を行ってもよい。３段階以上の出力は、例えば、交換の時期が近付いているという注意を喚起する出力として、異なる２以上の出力を含んでもよい。
また、制御部１１は、あるローラーと別のローラーとで、異なる段数の出力を行ってもよい。
【００４９】
一例として、制御部１１は、給紙ローラー１１１については、検出された２つの時間の差が所定の第１閾値以上である場合に第１出力を行い、当該差が第１閾値よりも大きい第２閾値以上である場合に第１出力と異なる第２出力を行い、当該差が第２閾値よりも大きい第３閾値以上である場合に第１出力および第２出力と異なる第３出力を行う。また、制御部１１は、排紙ローラー１１４ａ、１１４ｂについては、検出された２つの時間の差が所定の第４閾値以上である場合に第４出力を行い、当該差が第４閾値よりも大きい第５閾値以上である場合に第４出力と異なる第５出力を行う。
【００５０】
ここで、第１閾値、第２閾値および第３閾値は、任意に設定されてもよい。
また、第１出力、第２出力および第３出力は、それぞれ任意の出力であってもよい。一例として、第１出力は交換の時期が近付いているという１回目の注意を喚起する出力であってもよく、また、第２出力は交換の時期がさらに近付いているという２回目の注意を喚起する出力であってもよく、また、第３出力は交換の時期になったという交換を要求する出力であってもよい。
また、第４閾値および第５閾値は、任意に設定されてもよい。
また、第４出力および第５出力は、それぞれ任意の出力であってもよい。一例として、第４出力は交換の時期が近付いているという注意を喚起する出力であってもよく、また、第５出力は交換の時期になったという交換を要求する出力であってもよい。
【００５１】
このように、スキャナー１では、例えば、給紙ローラー１１１と排紙ローラー１１４ａ、１１４ｂとを比較した場合に、給紙ローラー１１１は摩耗し易いことから３段階の出力を行い、排紙ローラー１１４ａ、１１４ｂは摩耗が少ないことから２段階の出力を行う、というように、各々のローラーの性質に合った出力を行うことができる。
【００５２】
具体例を示す。
すなわち、本実施形態においてローラーが摩耗しているか否かを判定するために用いられる時間差である（時間ｔ１−時間ｔ０）、（時間ｔ２−時間ｔ１）、（時間ｔ４−時間ｔ３）、および、他の例における時間差である（時間ｔ３−時間ｔ２）は、それぞれ、それぞれのローラーの摩耗が進むに連れて紙が滑るため長くなる。これに基づき、判定を２以上の段階に分けて摩耗したローラーの交換を促すことも可能である。
【００５３】
例えば、スキャナー１では、規定時間が正常時の時間と正常時からの遅延時間との和であるとすると、遅延時間が閾値のときと比べて６０％を超えた時点で、ローラーが摩耗してきていることを示す情報を出力することができる。この時点では、当該ローラーは正常に動作することが可能であるため、当該情報は、警告ではなく、通知とする。
また、例えば、スキャナー１では、遅延時間が閾値のときと比べて８０％を超えた時点で、ローラーの交換時期が近いことを示す情報を出力することができる。この時点では、当該ローラーは正常に動作しているが、当該ローラーの交換時期が近いため、当該情報は、警告とする。
また、例えば、スキャナー１では、遅延時間が閾値のときと比べて１００％を超えた時点で、ローラーの交換時期となったことを示す情報を出力することができる。この時点では、当該ローラーの交換が必要であるため、当該情報は、すぐの交換を促す要求とする。
【００５４】
具体的な数値の例としては、規定時間が１１００ミリ秒であり、正常時の時間が１０００ミリ秒であり、当該規定時間における遅延時間が１００ミリ秒である場合、当該遅延時間が１０秒の６０％となったときの規定時間は１０６０ミリ秒であり、また、当該遅延時間が１０秒の８０％となったときの規定時間は１０８０ミリ秒である。なお、ここで例示された数値は、説明のために例示された数値であり、必ずしも実際の数値と合っているとは限らない。実際の数値は任意であってもよい。
【００５５】
＜紙端検知センサーの故障時の対応＞
本実施形態に係るスキャナー１では、紙端検知センサー１３１の故障時の対応も可能である。
例えば、制御部１１は、紙端検知センサー１３１が使用不可能であると判定された場合、時間ｔ２と時間ｔ０に基づいて、給紙ローラー１１１の動作状態および搬送ローラー１１３ａ、１１３ｂの動作状態を判定する。
【００５６】
このように、スキャナー１では、例えば、紙端検知センサー１３１が故障した場合においても、給紙が開始された時間ｔ０と画像読取センサー１４１によって読み取られた画像に基づいて紙の前端が検出された時間ｔ２を用いることで、給紙ローラー１１１から画像読取センサー１４１の読み取り位置までの区間について摩耗の状態を判定することができる。この場合には、摩耗したローラーを特定することはできないが、当該区間にあるいずれか１以上のローラーが摩耗していることを判定することができる。
【００５７】
なお、スキャナー１では、制御部１１は、例えば、テストモードにおいて、紙端検知センサー１３１から応答を受信しない場合に、当該紙端検知センサー１３１が故障していると判定することができる。
具体例として、制御部１１は、ＡＤＦの所定の位置に紙が載せられたことを検出するセンサーによって当該紙が検出されて当該紙が搬送路２１１に流されたときに、紙端検知センサー１３１から検知結果を受信しない場合に、当該紙端検知センサー１３１が故障していると判定することができる。
【００５８】
＜動作状態＞
本実施形態に係るスキャナー１では、制御部１１は、給紙ローラー１１１の動作状態を示す情報として、給紙ローラー１１１の回転の時間に関する情報を用いており、具体的には（時間ｔ１−時間ｔ０）を用いている。また、制御部１１は、搬送ローラー１１３ａ、１１３ｂの動作状態を示す情報として、搬送ローラー１１３ａ、１１３ｂの回転の時間に関する情報を用いており、具体的には（時間ｔ２−時間ｔ１）を用いている。また、制御部１１は、排紙ローラー１１４ａ、１１４ｂの動作状態を示す情報として、排紙ローラー１１４ａ、１１４ｂの回転の時間に関する情報を用いており、具体的には（時間ｔ４−時間ｔ３）を用いており、他の例として（時間ｔ３−時間ｔ２）を用いている。
【００５９】
このように、本実施形態では、動作状態として、時間に関する動作状態が用いられるが、他の例として、速度に関する動作状態、故障に関する動作状態、あるいは、寿命に関する動作状態が用いられてもよい。
速度に関する動作状態を示す情報としては、例えば、ローラーによって紙を搬送する速度が用いられてもよい。
故障に関する動作状態を示す情報としては、例えば、ローラーの故障の有無、あるいは、ローラーの故障の度合いが用いられてもよい。当該情報は、例えば、時間に関する動作状態あるいは速度に関する動作状態に基づいて判定されてもよい。
寿命に関する動作状態を示す情報としては、例えば、ローラーの残りの寿命が用いられてもよい。当該情報は、例えば、時間に関する動作状態あるいは速度に関する動作状態に基づいて判定されてもよい。
これら各種の動作状態は、例えば、互いに関連しており、いずれもローラーの摩耗状態を直接または間接に表す。
【００６０】
＜スキャナーの監視＞
本実施形態では、所定の監視装置によって、スキャナー１のローラーを監視するスキャナーのローラー監視方法を実施することができる。
一例として、当該監視装置は、スキャナー１自体であってもよく、つまり、スキャナー１においてローラーを監視するスキャナーのローラー監視方法と捉えることができる。
また、他の例として、当該監視装置は、スキャナー１と一体化されていると捉えられてもよい。
【００６１】
また、他の例として、当該監視措置は、スキャナー１以外の装置であってもよい。
例えば、１または複数のスキャナー１におけるローラーの摩耗状態を、スキャナー１以外の監視装置によって監視することができる。当該監視装置は、例えば、サーバー装置であってもよい。
具体例として、ある会社が販売した複数のスキャナー１と、当該会社で用意された監視装置とを、インターネットなどのオンラインで接続しておく。当該監視装置は、当該会社のサービスセンターなどに設置される。そして、当該監視装置によって、定期的なタイミングなどの所定のタイミングで、それぞれのスキャナー１におけるローラーの摩耗状態を示す情報を当該スキャナー１から受信する。これにより、監視装置では、それぞれのスキャナー１における各々のローラーの摩耗状態を監視することができる。
例えば、当該監視装置では、あるスキャナー１のあるローラーの摩耗状態が規定時間と比べて遅延時間の分が所定のパーセント［％］を超えたときに、そのことをサービスマンに通知する。これに応じて、当該サービスマンは、当該ローラーの交換作業を行うために、当該スキャナー１を利用する顧客を訪問する。このように、スキャナー１の保守サービスが行われてもよい。
なお、ここではオンラインでの監視について説明したが、オフラインでの監視が行われてもよい。
【００６２】
＜以上の実施形態について＞
以上のように、本実施形態に係るスキャナー１では、制御部１１は、紙端検知センサー１３１の検知結果と、画像読取センサー１４１の画像読取結果とを組み合わせて、複数のローラーの動作状態を判定する。これにより、スキャナー１では、ＡＤＦに複数取り付けられているローラーの摩耗を、ローラーを特定しつつ検出することができる。そして、スキャナー１では、各々のローラーの摩耗による不調および故障が発生する前に交換を促すことができる。
【００６３】
本実施形態に係るスキャナー１では、摩耗であるか否かを判定するために用いられるパラメーターの値を、各々のローラーの位置に応じて変えることで、ローラーを特定しつつ、ローラーの摩耗を検出することができる。本実施形態では、当該パラメーターの値として、所定の２つの時間の差が用いられている。
また、本実施形態に係るスキャナー１では、ＡＤＦに特有な機構である画像読取センサー１４１を有効に利用することで、読み取られた画像から紙の端を検出し、その検出結果を用いて、摩耗したローラーを検出する。これにより、スキャナー１では、紙端検知センサーの数を増加させずに、ローラーの摩耗を検出することが可能である。
【００６４】
ここで、従来の技術と比較して、本実施形態に係るスキャナー１の効果を説明する。
例えば、従来の技術では、紙の搬送時間の遅れを監視するために、スキャンされた紙の数が一定の枚数に達したときに一律にローラーの交換が必要であると判断していた。これに対して、本実施形態に係るスキャナー１では、それぞれのローラーについて判断しており、それぞれのローラーについて正確な寿命の予測が可能である。
また、ＡＤＦに搭載された複数のローラーのなかから摩耗したローラーを特定する場合、従来の技術では１つのローラーにつき１つの紙端検知センサーが必要であった。これに対して、本実施形態に係るスキャナー１では、ＡＤＦに備えられている画像読取センサー１４１の機能を利用することで、例えば、センサーを追加するためのコストを無しにして、複数のローラーのなかから摩耗したローラーを検出することができる。ただし、スキャナー１において、センサーが追加される構成が用いられてもよい。
【００６５】
＜変形例＞
ここで、ＡＤＦの紙搬送部１４の構成は、必ずしも本実施形態における図２に示される構成に限定されない。例えば、ローラーの数、紙端検知センサーの数、紙端検知センサーの位置、画像読取センサーの位置などが異なる構成に、本実施形態と同様な技術思想を適用することも可能である。
このように、ＡＤＦのメカ機構が異なる場合においても、紙の搬送路について、ローラーの位置と紙端検知センサーの位置と画像読取センサーの位置を用いて分けられる区間ごとに、ローラーの摩耗の状態を判定することが可能である。
【００６６】
例えば、図２に示される構成に対する他の構成例として、紙端検知センサー１３１が搬送ローラー１１３ａ、１１３ｂのところに配置されていてもよい。
また、例えば、図２に示される構成に対する他の構成例として、紙端検知センサー１３１が搬送ローラー１１３ａ、１１３ｂよりも上流のところに配置されていてもよい。この場合、例えば、紙端検知センサー１３１は、搬送ローラー１１３ａ、１１３ｂと分離ローラー１１２との間に配置されてもよい。
また、１つの紙搬送部１４に、２以上の紙端検知センサーが備えられてもよい。
【００６７】
また、本実施形態では、スキャナー１を例として示したが、スキャナー１の代わりに、スキャナーの機能を有する他の装置が用いられてもよい。当該他の装置としては、例えば、スキャナーの機能を有する印刷装置などの複合機が用いられてもよい。
【００６８】
＜構成例＞
一構成例として、スキャナー１において、スキャンの対象となる紙の搬送路２１１に設けられた第１ローラー（図２の例では、給紙ローラー１１１）と、第１ローラーより搬送路２１１の下流側に設けられた第２ローラー（図２の例では、排紙ローラー１１４a、１１４b）と、第１ローラーと第２ローラーとの間の搬送路２１１に設けられ、紙の端を検知する紙端検知センサー１３１と、第１ローラーと第２ローラーとの間の搬送路２１１に設けられ、紙の画像を読み取る画像読取センサー１４１と、紙端検知センサー１３１の検知結果と、画像読取センサー１４１の画像読取結果と、に基づいて、第１ローラーおよび第２ローラーを含む複数のローラーの動作状態を判定する制御部１１と、を備える。
したがって、スキャナー１では、画像読取センサー１４１を有効に利用して、ローラーの摩耗を、ローラーを特定しつつ検出することができる。
【００６９】
一構成例として、スキャナー１において、画像読取センサー１４１は、紙端検知センサー１３１より搬送路２１１の下流側に設けられている。
スキャナー１において、複数のローラーに含まれ、第１ローラーと画像読取センサー１４１との間の搬送路２１１に設けられた第３ローラー（図２の例では、搬送ローラー１１３a、１１３ｂ）を備える。
制御部１１は、紙の給紙開始時間ｔ０と紙端検知センサー１３１によって紙の前端が検知された時間ｔ１に基づいて、第１ローラーの動作状態を判定する。
制御部１１は、画像読取センサー１４１によって読み取られた画像に画像処理が行われることで検出された紙の前端に対応する時間ｔ２と時間ｔ１に基づいて、第３ローラーの動作状態を判定する。
したがって、スキャナー１では、第１ローラーと第３ローラーのそれぞれについて、動作状態を検出することができる。
【００７０】
一構成例として、スキャナー１において、紙端検知センサー１３１は、第３ローラーと画像読取センサー１４１との間の搬送路２１１に設けられている。
制御部１１は、紙端検知センサー１３１によって紙の後端が検知された時間ｔ３と、画像読取センサー１４１によって読み取られた画像に画像処理が行われることで検出された紙の後端に対応する時間ｔ４に基づいて、第２ローラーの動作状態を判定する。
したがって、スキャナー１では、第２ローラーについて、動作状態を検出することができる。
【００７１】
一構成例として、スキャナー１において、制御部１１は、画像読取センサー１４１によって読み取られた画像に画像処理が行われることで検出された紙の後端に対応する時間ｔ４と時間ｔ２に基づいて、第２ローラーの動作状態を判定する。
したがって、スキャナー１では、第２ローラーについて、動作状態を検出することができる。
【００７２】
一構成例として、スキャナー１において、制御部１１は、動作状態を示す値として２つの時間の差を用いて、差が第１閾値以上であって第１閾値より大きい第２閾値未満である場合に第１出力を行い、差が第２閾値以上である場合に第１出力と異なる第２出力を行う。
したがって、スキャナー１では、２段階の出力を行うことができる。
【００７３】
一構成例として、スキャナー１において、制御部１１は、第１ローラーの動作状態を示す値として用いられる差が第２閾値以上であって第２閾値より大きい第３閾値未満である場合に第２出力を行い、差が第３閾値以上である場合に第１出力および第２出力とは異なる第３出力を行う。
制御部１１は、第２ローラーの動作状態を示す値として用いられる差が第４閾値以上であって第４閾値より大きい第５閾値未満である場合に第４出力を行い、差が第５閾値以上である場合に第４出力とは異なる第５出力を行う。
したがって、スキャナー１では、第１ローラーについては３段階の出力を行い、第２ローラーについては２段階の出力を行うことができる。
【００７４】
一構成例として、スキャナー１において、制御部１１は、紙端検知センサー１３１が使用不能である場合、画像読取センサー１４１によって読み取られた画像に画像処理が行われることで検出された紙の前端に対応する時間ｔ２と、紙の給紙開始時間ｔ０に基づいて、第１ローラーの動作状態および第３ローラーの動作状態を判定する。
したがって、スキャナー１では、紙端検知センサー１３１が使用不能である場合においても、ローラーの動作状態を検出することができる。
【００７５】
一構成例として、スキャナー１のローラーを監視するスキャナーのローラー監視方法であって、スキャンの対象となる紙の搬送路２１１に設けられた第１ローラーと、第１ローラーより搬送路２１１の下流側に設けられた第２ローラーと、を用いて紙が搬送されるときに、次のような処理を行う。
すなわち、第１ローラーと第２ローラーとの間の搬送路２１１に設けられた紙端検知センサー１３１が、紙の端を検知する。
第１ローラーと第２ローラーとの間の搬送路２１１に設けられた画像読取センサー１４１が、紙の画像を読み取る。
制御部１１が、紙端検知センサー１３１の検知結果と、画像読取センサー１４１の画像読取結果と、に基づいて、第１ローラーおよび第２ローラーを含む複数のローラーの動作状態を判定する。
したがって、スキャナーのローラー監視方法では、画像読取センサー１４１を有効に利用して、ローラーの摩耗を、ローラーを特定しつつ検出することができる。
【００７６】
＜以上の実施形態について＞
なお、以上に説明したスキャナー１などの任意の装置における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ、ＣＤ（Ｃｏｍｐａｃｔ  Ｄｉｓｃ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーあるいはクライアントとなるコンピューターシステム内部の揮発性メモリー（ＲＡＭ）のように、一定時間プログラムを保持しているものも含むものとする。
【００７７】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【００７８】
また、以上に説明したスキャナー１などの任意の装置における任意の構成部の機能は、プロセッサーにより実現されてもよい。例えば、本実施形態における各処理は、プログラム等の情報に基づき動作するプロセッサーと、プログラム等の情報を記録するコンピューター読み取り可能な記録媒体により実現されてもよい。ここで、プロセッサーは、例えば、各部の機能が個別のハードウェアで実現されてもよく、あるいは、各部の機能が一体のハードウェアで実現されてもよい。例えば、プロセッサーはハードウェアを含み、当該ハードウェアは、デジタル信号を処理する回路およびアナログ信号を処理する回路のうちの少なくとも一方を含んでもよい。例えば、プロセッサーは、回路基板に実装された１または複数の回路装置、あるいは、１または複数の回路素子のうちの一方または両方を用いて、構成されてもよい。回路装置としてはＩＣ（Ｉｎｔｅｇｒａｔｅｄ  Ｃｉｒｃｕｉｔ）などが用いられてもよく、回路素子としては抵抗あるいはキャパシターなどが用いられてもよい。
【００７９】
ここで、プロセッサーは、例えば、ＣＰＵであってもよい。ただし、プロセッサーは、ＣＰＵに限定されるものではなく、例えば、ＧＰＵ（Ｇｒａｐｈｉｃｓ  Ｐｒｏｃｅｓｓｉｎｇ  Ｕｎｉｔ）、あるいは、ＤＳＰ（Ｄｉｇｉｔａｌ  Ｓｉｇｎａｌ  Ｐｒｏｃｅｓｓｏｒ）等のような、各種のプロセッサーが用いられてもよい。また、プロセッサーは、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によるハードウェア回路であってもよい。また、プロセッサーは、例えば、複数のＣＰＵにより構成されていてもよく、あるいは、複数のＡＳＩＣによるハードウェア回路により構成されていてもよい。また、プロセッサーは、例えば、複数のＣＰＵと、複数のＡＳＩＣによるハードウェア回路と、の組み合わせにより構成されていてもよい。また、プロセッサーは、例えば、アナログ信号を処理するアンプ回路あるいはフィルター回路等のうちの１以上を含んでもよい。
【００８０】
以上、この発明の実施形態について図面を参照して詳述してきたが、具体的な構成はこの実施形態に限られるものではなく、この発明の要旨を逸脱しない範囲の設計等も含まれる。
【符号の説明】
【００８１】
１…スキャナー、１１…制御部、１２…操作パネル、１３…入力画像処理部、１４…紙搬送部、３１…ＣＰＵ、３２…ＲＯＭ、３３…ＲＡＭ、１１１…給紙ローラー、１１２…分離ローラー、１１３ａ、１１３ｂ…搬送ローラー、１１４ａ、１１４ｂ…排紙ローラー、１３１…紙端検知センサー、１４１…画像読取センサー、２１１…搬送路、１０１１〜１０１３…区間
【図１】
2020132371.tif 000003
【図２】
2020132371.tif 000004
【図３】
2020132371.tif 000005
【図４】
2020132371.tif 000006
【図５】
2020132371.tif 000007